(57)【要約】   石造建築用ブロック（１）は、外壁（２）と、少なくとも一つの当接壁（３）と、少なくとも一つの垂直キャビティと、前記当接壁の上面および／または下面の少なくとも一つの第一のみぞとを備えており、前記当接壁が、当接するブロックに係合する垂直縁面（７）と、該垂直縁面間に配置されている垂直ランド（８）とを有しており、前記ランドが、隣接するブロックを定位置に係止するためにキーを受け入れるためのキー溝（９）と、前記垂直のランドと前記縁面との間に配置されている一対の垂直みぞ（１０）を有しており、これらの配置および構成が、ブロックが積み重ねられると、前記ブロックの前記みぞおよび前記少なくとも一つのキャビティを、水平方向および垂直方向のグラウト通路から構成される内部ネットワークを提供するように位置合わせをするような配置および構成とされ、前記グラウト通路が、前記ブロック間の接合部をシールするためおよび荷重に耐えるようブロック層間を支持するために硬化剤で充填されるようになっている。【選択図】  図１
2008509302.tif 000002
【特許請求の範囲】
【請求項１】
外壁と、
少なくとも一つの当接壁と、
少なくとも一つの垂直キャビティと、
前記当接壁の上面および／または下面に形成される少なくとも一つの第一のみぞとを備えており、        
前記当接壁が、当接するブロックに係合する垂直縁面および該垂直縁面間に配置される垂直ランドを有しており、
前記ランドが、隣接するブロックを定位置に係止するためにキーを受け入れるキー溝と、前記垂直ランドと前記縁面との間に配置される一対の垂直みぞとを有しており、  
これらの配置および構成が、ブロックが積み重ねられると、前記ブロックの前記みぞおよび前記少なくとも一つのキャビティを、水平方向および垂直方向のグラウト通路から構成される内部ネットワークを提供するように位置合わせするようになっており、
前記グラウト通路が、前記ブロック間の接合部をシールするためおよび荷重に耐えるようブロック層間を支持するため、硬化剤で充填されてなる、石造建築用ブロック。
【請求項２】
前記石造建築用ブロックが、真っ直ぐな壁を形成するために前記ブロックを用いうるように、前記ブロックの両端部に前記当接壁を備えてなる、請求項１記載の石造建築用ブロック。
【請求項３】
前記石造建築用ブロックが、角を形成するために前記ブロックを用いうるように、前記ブロックの隣接している側面に前記当接壁を備えてなる、請求項１記載の石造建築用ブロック。
【請求項４】
前記石造建築用ブロックが、前記壁に終端部を形成するために前記ブロックを用いうるように、単一の当接壁を備えてなる、請求項１記載の石造建築用ブロック。
【請求項５】
前記石造建築用ブロックが、各ブロック内に複数のキャビティが形成されるように、一または複数の垂直ウェブを備えてなる、請求項１乃至４のうちのいずれか一つに記載の石造建築用ブロック。
【請求項６】
前記垂直ウェブが、前記グラウト通路の連続性を維持するように、前記当接壁の寸法に対応する寸法を有してなる、請求項５記載の石造建築用ブロック。
【請求項７】
前記石造建築用ブロックが、コンクリートから形成され、型を用いて製造されてなる、請求項１乃至６のうちのいずれか一つに記載の石造建築用ブロック。
【請求項８】
前記壁、前記ウェブおよび他の部分の断面が少なくとも２５ｍｍである、請求項１乃至７のうちのいずれか一つに記載の石造建築用ブロック。
【請求項９】
前記壁、前記ウェブおよび他の部分の厚みが約３０ｍｍである、請求項８記載の石造建築用ブロック。
【請求項１０】
前記外壁が、前記ブロックを載せ、隣接するブロック層の位置決めをすることができるように、上方ステップ面と下方ステップ面とを有してなる、請求項１乃至９のうちのいずれか一つに記載の石造建築用ブロック。
【請求項１１】
前記外壁が、好ましくは前記当接壁およびウェブを下方にして延びている部位において、補強されてなる、請求項１乃至１０のうちのいずれか一つに記載の石造建築用ブロック。
【請求項１２】
前記補強が、前記当接壁およびウェブから徐々に減少するように構成されてなる、請求項１１記載の石造建築用ブロック。
【請求項１３】
請求項１乃至１２のうちのいずれか一つに記載の石造建築用ブロックを複数の段備えている壁構造であって、
前記ブロックは、端部と端部とが当接され、前記ブロックのキー溝にキーが固定されてなる、壁構造。
【請求項１４】
前記壁構造は、前記ブロック内のキャビティおよびみぞが位置を合わせるように配置される垂直および／または水平の鋼鉄強化部材を備えてなる、請求項１３記載の壁構造。
【請求項１５】
前記構造内で水平に配置される通路および垂直に配置されるキャビティが、グラウト材で充填されてなる、請求項１３または１４記載の壁構造。
【発明の詳細な説明】
【技術分野】
【０００１】
本発明は、建築用ブロックの如き建築部材に関するものであり、さらに詳細には、石造建築用ブロックおよび当該石造建築用ブロックにより構成される壁を備える建物に関するものである。
【背景技術】
【０００２】
建築構造に用いられる石造建築用ブロックには多くの異なる形態が提案されている。これらは、一般的に開口部が貫通されている周壁を備えて製造される。これらのブロックは、壁の中に組み込まれる場合、互い違いに積み重ねられることが一般的である。すなわち、交互のブロック列が隣接するブロック列からブロック半分だけずらして積み重ねられ、通常、モルタル目地が施される。
【０００３】
このようなブロックは、レンガより軽くかつ価格が安いという利点がある。さらに、互い違いの積み重ねブロック構造において、ブロックを支え、ブロック間の正確な位置合わせを確実にするために、水平な基礎（ｌｅｖｅｌ  ｆｏｕｎｄａｔｉｏｎ）が必要とされる。
【０００４】
さらに、ブロックは、厳しい許容誤差範囲内で製造されることが必要とされ、そうでなければ、ブロックを互い違いに積み重ねることが困難となる。
【０００５】
建築用ブロックは、型および／または型の下のテーブルが振動している間に、型の中に濡れたコンクリートの混合物を詰め込む機械によって一般的に製造される。容易に理解できるように、このような技術は、型に磨耗および裂傷をもたらし、新しい型から作られる製品が、その次に製造される製品と大きさが必ずしも同一ではない。この問題のため、ブロックを複数の段に積み重ねるような場合に困難が生じる。
【０００６】
オーストラリア特許第ＡＵ−Ａ−２４８６８／９５号には、ブロックの外側に開口している端孔を備えている石造建築用ブロックから壁を製造する方法が記載されている。この方法は、孔が隣接かつ対向するよう、端と端とを実質的に当接させてブロックを配置するステップと、ブロックを相互に必要な位置に保持するために、孔を通って延びるように構成されているとともに孔に収容可能な部分を有するプラグまたは合わせくぎを用いてブロックを接続するステップと、位置を合わせてブロックをさらに積み重ねるステップとを有している。
【発明の開示】
【発明が解決しようとする課題】
【０００７】
オーストラリア特許第７３５４８９号に従って製造されるブロックは有用な建築部材となる。しかしながら、製造されたブロックは、縁部が削られやすく、型をいつもと同じように充填して製造することが困難な場合があるので、グラウト材で充填することがしばしば困難となる。
【０００８】
上記のブロックは、満足できるものだということが証明されているものの、我々は、製造過程および壁の形成におけるブロックの利用に役立つブロック設計に効果を奏しうる改良点が複数あると考えている。
【課題を解決するための手段】
【０００９】
本発明の第一の態様によれば、外壁と、少なくとも一つの当接壁（ａｂｕｔｍｅｎｔ  ｗａｌｌ）と、少なくとも一つの垂直キャビティと、当接壁の上面および／または当接壁の下面に設けられる少なくとも一つの第一のみぞ（ｃｈａｎｎｅｌ）とを備えている石造建築用ブロックが提供されており、当接壁は、当接するブロックと係合する垂直縁面と、垂直縁面間に配置された垂直ランド（ｌａｎｄ）を有しており、このランドは、隣接するブロックを定位置に係止するためにキーを受け入れるためのキー溝と、垂直のランドと縁面との間に配置された一対の垂直みぞとを有している。これらの配置および構成は、ブロックが積み重ねられると、ブロックのみぞおよび少なくとも一つのキャビティを、水平方向および垂直方向のグラウト通路（ｇｒｏｕｔｉｎｇ  ｐａｓｓａｇｅ）から構成される内部ネットワークを提供するよう位置合わせするようになっている。グラウト通路は、ブロック間の接合部をシールするためおよび荷重に耐えるようブロック層間を支持するために、硬化剤で充填されることが可能である。
【００１０】
石造建築用ブロックはさまざまな構造形態を有しうる。一つの形態では、石造建築用ブロックは、真直ぐな壁を形成するためにブロックを用いうるように、ブロックの両端に当接壁を備えている。他の形態では、当接壁は、角を形成するためにブロックを用いうるように、ブロックの隣接する側面側に形成されても良い。ブロックのさらに他の形態では、壁に終端部を形成するためにブロックを用いうるように、単一の当接壁が用いられている。
【００１１】
本発明にかかる石造建築用ブロックは、各ブロック内に複数のキャビティを形成するように、一または複数の垂直ウェブを備えうる。好ましくは、垂直ウェブは、グラウト通路の連続性を維持するように、当接壁の寸法に対応する寸法を有している。
【００１２】
石造建築用ブロックは、コンクリートから形成され、型を用いて製造されることが好ましい。壁、ウェブおよび他の部分の断面を２５ｍｍ以上にすることで、モールディングにより空洞をブロックの中に形成してしまってブロックを構造的に完全性の低いものとする可能性が減少するため、モールディングがより信頼性のあるものとなる。好ましくは、壁、ウェブなどの厚みは約３０ｍｍである。
【００１３】
外壁は、他のブロック層により支持され、他のブロック層を支持するように形成されることが好ましい。外壁は、上方ステップ面と下方ステップ面とを備えることにより、ブロックを載せ、隣接するブロック層の位置決めをすることが可能となる。
【００１４】
ブロックが第一のみぞを有する場合、外壁は、当接壁およびウェブを下方にして延びている部位で補強されることが好ましい。適切な補強としては、当接壁およびウェブから先細になっていく肉厚部分が形成されても良い。
【００１５】
上記の少なくとも一つの第一のみぞ（凹み）は、当接壁およびウェブのほぼ頂部にあり、ほぼＵ字形状であっても良い。それに代えて、上記の少なくとも一つの第一のみぞは、当接壁およびウェブのほぼ底部にあり、ほぼ逆Ｕ字形状であっても良い。好ましい形態では、第一のみぞは、隣接するブロック層の当接壁の頂部および底部に形成され、当接壁およびウェブの頂部ではＵ字形状のみぞが形成され、当接壁およびウェブの底部では、逆Ｕ字形状のみぞが形成されうる。
【００１６】
当接壁およびウェブの底部における逆形状のみぞでは、みぞが中央リッジ（隆起部）により分割されていることが好ましい。
【００１７】
当接壁は、隣接するブロックを係合するための垂直面を有している。好ましくは、垂直面は外壁と同一の厚さであり、外壁の端部に形成されうる。当接壁は、垂直面間に配置されている垂直ランドを有している。このランドは、垂直面間の中央に位置していることが好ましい。好ましい構成では、このランドは、当接している隣同士のランド間をグラウト通路が延びるように、垂直面に対して凹んでいる。
【００１８】
上記のランドは、連結キーを収納するためのキー溝を有している。各キーは、細長い中央フランジと、このフランジの両縁部に位置するウェブとを有し、各ウェブは複数のリブを有し、これらのリブは、フランジの両側からのび、最も外側のリブから開始され次第に深さが減少していくようになっている。かかるキーのフランジの表面は凸凹となっている。各キーのフランジ面の凹凸は、広がるノブから構成されるネットワークによって少なくとも部分的に提供されても良い。また、各キーのフランジ面の凹凸は、凹部から構成されるネットワークによって少なくとも部分的に提供されても良い。
【００１９】
本発明のさらなる態様によれば、端部と端部とが当接され、キーがブロックのキー溝に固定されている複数段の石造建築用のブロックを備えている壁構造が提供されている。
【００２０】
かかる壁構造は、ブロック内のキャビティおよびみぞが位置合わせされて配置される垂直および／または水平の鋼鉄強化部材から構成されている。
【００２１】
かかる構造内の水平方向に配置される通路および垂直方向に配置されるキャビティがグラウト材で充填される。
【００２２】
ここで、添付の図面を参照して本発明を記載する。この記載は、例示を目的として提供されたものであり、本明細書の開示内容の範疇を限定することを意図したものではない。
【００２３】
本発明またはその態様を添付の図面を参照して記載する。
【発明を実施するための最良の形態】
【００２４】
図１から図５に示されている石造建築用ブロック１は、一対の対向する側壁２を備えて形成されている。これらの対向する側壁２は、当接壁３およびウェブ４により、間隔をおいて並べられている。当接壁３およびウェブ４の上部は、ブロックの長手方向に沿って延び、グラウト通路（流路）を形成することできる水平方向のみぞ（凹み）を形成するように、弓形状をなしている。当接壁３およびウェブ４の下部は、グラウト通路の上部を形成するように、同様に弓形となっている。突出部６は、それぞれ対応する当接壁３およびウェブ４から下方に延びている。
【００２５】
図２には、垂直ランド７が端壁２から延びている当接壁３の構成が示されている。ランド８は、垂直面７間に垂直方向にむかって設けられ、グラウト材で充填するまえに隣接するブリック（れんが）を係止状態で保持するようにキー（図示せず）を挿入することができるキー溝９を備えている。ランド８は、グラウト通路が隣接するブロック上のランド間に形成されるように、垂直面７に対して凹んでいる。
【００２６】
垂直みぞ（凹み）１０は、ランド８と垂直面７との間に形成されている。図４には、側壁２を強化し、使用時に破損または損傷を最小限に抑える補強部１１が示されている。同様の補強部１２が、ブロック１の上部に設けられており、側壁１の上縁部を強化している。
【００２７】
側壁１の上部は、上段のブロックの側壁２の基部にある足部１５に係合するために、上段１３と下段１４とを備えている。
【００２８】
当業者にとって明らかなように、本明細書に記載の発明の精神および範疇から逸脱することなく、上記の発明に対して改良および変更を加えても良い。
【図面の簡単な説明】
【００２９】
【図１】本発明の一つの実施形態にかかる石造建築用ブロックを示す斜視図である。
【図２】図１に示されている石造建築用ブロックを示す上面図である。
【図３】図１に示されている石造建築用ブロックを示す端面図である。
【図４】図１に示されている石造建築用ブロックを示す底面図である。
【図５】図１に示されている石造建築用ブロックを示す側面図である。
【図１】
2008509302.tif 000003
【図２】
2008509302.tif 000004
【図３】
2008509302.tif 000005
【図４】
2008509302.tif 000006
【図５】
2008509302.tif 000007
【国際調査報告】
2008509302.tif 000008
2008509302.tif 000009